(57)【要約】      （修正有）【課題】送風性能を向上させた空気調和機の室内機を提供する。【解決手段】本発明の空気調和機の室内機は、吹き出し口の上部を形成する平面部を有するスタビライザと、室内へ送風するクロスフローファンとを備え、平面部からクロスフローファンの方向へ仮想的に延長した仮想平面部よりも上側にクロスフローファンの円周縁が位置するように構成し、スタビライザの舌部に溝形状１３を複数設ける。【選択図】図５
2012225573.tif 000002
【特許請求の範囲】
【請求項１】
吹き出し口の上部を形成する平面部を有するスタビライザと、室内へ送風するクロスフローファンとを備え、前記平面部から前記クロスフローファンの方向へ仮想的に延長した仮想平面よりも上側に前記クロスフローファンの円周縁が位置するように構成し、前記スタビライザの舌部に溝形状を複数設けたことを特徴とする空気調和機の室内機。
【請求項２】
前記溝形状の幅よりも隣り合う溝形状の間に形成される凸部の幅が大きいことを特徴とする請求項１に記載の空気調和機の室内機。
【請求項３】
前記溝形状同士の幅はすべて等しく、かつ、隣り合う溝形状の間に形成される凸部同士の幅はすべて等しくすることを特徴とする請求項１または２に記載の空気調和機の室内機。
【請求項４】
前記溝形状同士の深さはすべて等しいことを特徴とする請求項１から３のいずれか１項に記載の空気調和機の室内機。
【請求項５】
前記溝形状の底面の形状は平面であることを特徴とする請求項１から４のいずれか１項に記載の空気調和機の室内機。
【発明の詳細な説明】
【技術分野】
【０００１】
本発明は、空気調和機の室内機に関する。
【背景技術】
【０００２】
図６は、従来の空気調和機の室内機の断面図である。図６に示すように、室内機のスタビライザの舌部に溝形状６０１を設け、翼ピッチ音の周波数が分散し、耳障りな翼ピッチ音を低減させていた（例えば、特許文献１参照）。
【先行技術文献】
【特許文献】
【０００３】
【特許文献１】特開平４−８０５３３号公報
【発明の概要】
【発明が解決しようとする課題】
【０００４】
しかしながら、前記従来の構成では、騒音を低減することが出来るものの、送風性能を向上させることはできないという課題を有していた。
【０００５】
本発明は、前記従来の課題を解決するもので、送風性能を向上させた空気調和機の室内機を提供することを目的とする。
【課題を解決するための手段】
【０００６】
前記従来の課題を解決するために本発明は、吹き出し口の上部を形成する平面部を有するスタビライザと、室内へ送風するクロスフローファンとを備え、平面部からクロスフローファンの方向へ仮想的に延長した仮想平面よりも上側にクロスフローファンの円周縁が位置するように構成し、スタビライザの舌部に溝形状を複数設けたことにより、クロスフローファンを駆動することによって発生する風が舌部に衝突することによってよどみ領域が発生し、その結果、よどみ領域に衝突する風にエアークッション作用が働き、クロスフローファンからの送風を円滑にすることができる。
【発明の効果】
【０００７】
本発明は、送風性能を向上させた空気調和機の室内機を提供することができる。
【図面の簡単な説明】
【０００８】
【図１】本発明の実施の形態１における空気調和機の室内機の断面図
【図２】同実施の形態１における空気調和機の室内機の要部断面図
【図３】同実施の形態１における空気調和機の室内機の要部拡大断面図
【図４】同実施の形態１におけるスタビライザの外観斜視図
【図５】同実施の形態１におけるスタビライザの外観拡大斜視図
【図６】従来の空気調和機の室内機の断面図
【発明を実施するための形態】
【０００９】
第１の発明の空気調和機の室内機は、吹き出し口の上部を形成する平面部を有するスタビライザと、室内へ送風するクロスフローファンとを備え、平面部からクロスフローファンの方向へ仮想的に延長した仮想平面よりも上側にクロスフローファンの円周縁が位置するように構成し、スタビライザの舌部に溝形状を複数設けたことにより、クロスフローファンを駆動することによって発生する風が舌部に衝突することによってよどみ領域が発生し、その結果、よどみ領域に衝突する風にエアークッション作用が働き、クロスフローフ
ァンからの送風を円滑にすることができる。
【００１０】
第２の発明の空気調和機の室内機は、特に第１の発明において、溝形状の幅よりも隣り合う溝形状の間に形成される凸部の幅が大きいことにより、よどみ領域を形成しやすくなり、エアークッション作用を高めることができ、さらに送風性能を向上させることができる。
【００１１】
第３の発明の空気調和機の室内機は、特に第１または第２の発明において、溝形状同士の幅はすべて等しく、かつ、隣り合う溝形状の間に形成される凸部同士の幅はすべて等しくすることにより、クロスフローファンからスタビライザへ向かう流れに関して、クロスフローファンの長手方向に速度分布を均一にすることができ、送風性能を向上させることができる。
【００１２】
第４の発明の空気調和機の室内機は、特に第１から第３の発明において、溝形状同士の深さはすべて等しいことにより、クロスフローファンの長手方向に、よどみ領域を均一に形成することができ、送風性能を向上させることができる。
【００１３】
第５の発明の空気調和機の室内機は、特に第１から第４の発明において、溝形状の底面の形状は平面であることにより、よどみ領域を保持することができ、送風性能を向上させることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室内機の断面図を示すものである。図１に示すように、本実施の形態における空気調和機の室内機１００には、室内空気と冷媒とが熱交換を行う室内熱交換器１と、室内へ送風を行うクロスフローファン２と、クロスフローファン２の前側には吹き出し口５とを有している。
【００１６】
また、吹き出し口５の上部はスタビライザ３の一部で形成され、吹き出し口５の下部はリアガイダ４の一部で形成されている。また、スタビライザ３は、吹き出し口５の上部を形成する平面部３ａと、平面部３ａに連続し略円弧形状をなす舌部３ｂと、舌部３ｂに連続しクロスフローファンの円周縁に沿って湾曲する湾曲部３ｃで構成されている。
【００１７】
また、室内機１００の前面側には室内空気の吸込み口９を設け、吸込み口９の裏側には塵埃を捕集するエアフィルタ８を有している。さらに、吹き出し口５には、上下方向へ風向を変更する上下風向変更羽根を備えており、本実施の形態では上羽根６と下羽根７とで構成される。なお、本実施の形態では上下風向変更羽根は上羽根６と下羽根７の二枚を設けたが、これに限定することはなく、一枚であっても何ら問題は無い。また、吹き出し口５には、左右方向へ風向を変更する左右風向変更羽１５を備えている。
【００１８】
そしてクロスフローファン２が回転駆動することによって、吸込み口９から室内空気を吸込み、室内熱交換器１で室内空気と冷媒とが熱交換を行い、熱交換した後の暖風または冷風を吹き出し口５から送風する。
【００１９】
以上のように構成された空気調和機の室内機について、以下、スタビライザ３の構成および作用について説明する。
【００２０】
図２、図３は、本発明の実施の形態１におけるスタビライザ３の拡大斜視図であり、図
４はスタビライザ３の外観斜視図、図５はスタビライザの溝形状の拡大図である。図２〜図５に示すように、スタビライザ３の舌部３ｂには溝形状１３が複数形成されている。そして、スタビライザ３の舌部３ｂに溝形状１３を等間隔に複数設けたことで、隣り合う溝形状１３同士の間には凸部１２が形成される。
【００２１】
また、平面部３ａからクロスフローファン２の方向へ仮想的に延長した仮想平面部３ｄを図２に点線にて示す。また、図２には模式的に風の流れの方向を矢印にて示す。図２に示すように、点線で表した仮想平面部３ｄよりも上側にクロスフローファン２の円周縁２ａが位置するように構成されている。このように構成することによって、クロスフローファン２を回転させたときに発生する風が、スタビライザ３の舌部３ｂへ衝突しやすくなる。
【００２２】
そして、クロスフローファン２を駆動させることによって発生する風が、舌部３ｂへ衝突し、舌部３ｂ付近によどみ領域が発生する。その結果、よどみ領域によってエアークッションの働きをすることにより、舌部３ｂでの送風ロスを低減させることができ、送風性能を向上させることができる。
【００２３】
また、図５に点線矢印で溝形状１３の溝方向を示している。図５に示すように、溝形状１３の溝方向は、スタビライザの長手方向に直角となるように形成されるのが好ましい。このように溝方向をスタビライザの長手方向に対して直角となるように溝形状１３を形成することで、スタビライザの長手方向に均一な速度分布で室内に送風することができる。ただし、製造誤差等により１度から２度程度ずれていたとしても問題は無い。
【００２４】
また、図３に示すように、溝形状１３の底面の形状は平面としている。これによって溝形状１３の近傍によどみ領域を保持しやすく、送風性能を向上することができる。なお、溝形状１３の底面を、前述の先行技術文献に記載の技術のような曲面にすると、よどみ領域が保持しにくく剥離しやすくなってしまう。その結果、送風性能を向上させることができなくなってしまう。
【００２５】
また、図３に示すように、溝形状１３の深さＤは、すべての溝形状において同じ深さとしており、その結果、スタビライザ３の長手方向に沿って、よどみ領域を均一に形成させることができる。よって、クロスフローファン２の長手方向に、ほぼ等しい厚みをもった凹凸の少ないよどみ領域を形成することができ送風性能を改善することができる。
【００２６】
また、図５に示すように、溝形状１３の幅Ｗｂを、隣り合う溝形状１３の間に形成される凸部１２の幅Ｗａよりも短くすることによって、舌部３ｂにおける送風抵抗の増加を抑えながら、舌部３ｂによどみ領域を形成することができる。
【００２７】
また、図４に示すように、スタビライザ３の長手方向に沿って、溝形状１３が複数形成されているが、すべての溝形状１３の幅は同じ長さとしている。さらに、溝形状１３同士の間に形成される凸部１２の幅はすべて同じ長さとしている。このように溝形状１３を形成することによって、クロスフローファンからスタビライザへ向かう流れに関して、クロスフローファンの長手方向に速度分布を均一にすることができ、送風性能を向上させることができる。
【産業上の利用可能性】
【００２８】
以上のように本発明は、空気調和機の室内機に適用でき、一台の室外機に一台の室内機を接続する空気調和機や、一台の室外機に複数台の室内機を接続する多室型の空気調和機にも適用することができる。
【符号の説明】
【００２９】
１  室内熱交換器
２  クロスフローファン
３  スタビライザ
３ａ  平面部
３ｂ  舌部
３ｃ  湾曲部
３ｄ  仮想平面部
１２  凸部
１３  溝形状
【図１】
2012225573.tif 000003
【図２】
2012225573.tif 000004
【図３】
2012225573.tif 000005
【図４】
2012225573.tif 000006
【図５】
2012225573.tif 000007
【図６】
2012225573.tif 000008